(57)【特許請求の範囲】
【請求項１】
上下框と左右框とを備え、下框は、下框本体と補助部材とを有し、下框本体は、補助部材を取付ける下方開口の凹溝部を有し、補助部材は、上面及び下面のいずれか一方側面にレール上を摺動する摺動部を有し、他方側面に戸車の取付部を有すると共に、上下反転することにより一方側面又は他方側面を下框本体の凹溝部内に位置させて取り付けてあることを特徴とする引戸。
【発明の詳細な説明】
【技術分野】
【０００１】
本発明は、引戸に関するものである。
【背景技術】
【０００２】
一般に引戸は、上下框と左右框を四方に框組して各々をネジなどで固定するものであり、戸車が下枠レール上を走行するタイプや下枠の凹溝を摺動部が摺動するタイプなど、様々なタイプがある。また、従来、一部の部品を交換して様々な種類の建具に対応させるものがあり、特許文献１には、吊具又は戸車の付いた交換部品を引戸の上端部と下端部のいずれか一方側部に設けた取付部材に取り付けることで、一つの引戸を上吊式引戸と下荷重式引戸の両方に兼用できるものが開示されている。
【特許文献１】特開２００７−５６６３９
【発明の開示】
【発明が解決しようとする課題】
【０００３】
しかしながら、従来のこの種の引戸は、下枠レールの種類が例えば、戸車に対応するもの、あるいは、スベリタイプに対応するものなど、種々異なるものであったため、下枠レールの種類に合わせて、上下左右框を分解した後に、下枠レールに対応する下框に交換する手間がかかる不都合や、あるいは、種類の異なる下枠レールに対応した複数の引戸を用意しなればならなかった。また、特許文献１の引戸のような、上下左右框を分解することなく、一部を交換して異なる建具に対応するものであっても、例えば、戸車用あるいはスベリタイプと、引戸を取り付ける下枠レールが異なれば、別途対応した戸車や摺動部材に交換しなければならず、このことから、交換する部品が単体では戸車用、スベリタイプの各々の下枠レールに対応できないため、製造者側では部品在庫を多く抱える問題点があった。
本発明は、一部を上下反転して付け替えるだけで簡単に、戸車用とスベリタイプの下枠レールの各々に対応して取り付けできる引戸を提供することにある。
【課題を解決するための手段】
【０００４】
本発明の請求項１記載の発明は、上下框と左右框とを備え、下框は、下框本体と補助部材とを有し、下框本体は、補助部材を取付ける下方開口の凹溝部を有し、補助部材は、上面及び下面のいずれか一方側面にレール上を摺動する摺動部を有し、他方側面に戸車の取付部を有すると共に、上下反転することにより一方側面又は他方側面を下框本体の凹溝部内に位置させて取り付けてあることを特徴とする。
【発明の効果】
【０００５】
請求項１記載の発明によれば、上下面のいずれか一方側面に摺動部、他方側面にある取付部に戸車を取付可能に形成する補助部材を下框本体の下方開口した凹溝部内に取り付け、及び取り外し自在に設けてあることにより、その補助部材を上下に反転して下框本体の凹溝部内で付け替えるだけで、戸車用又はスベリタイプの下枠レールの各々に対応して簡単に引戸を取り付けできる。これにより、下框交換のために引戸を分解する手間や、あるいは、引戸や交換部品を複数用意する必要のない引戸を提供できる。
【発明を実施するための最良の形態】
【０００６】
以下に、本発明の引戸の実施形態を図面に基づいて説明する。
図１（ａ）は、補助部材２ｂにおける摺動部５の設けてある側を下面に位置させた状態で、下框本体２ａに取り付けたときの引戸の縦断面図を示すものであり、（ｂ）は、戸車６を取り付けた側を下面に位置させた状態で補助部材２ｂを下框本体２ａに取り付けたときの縦断面図を示すものであり、図２は、本引戸の正面図を示すものである。
【０００７】
本引戸は、図１（ａ）（ｂ）と図２のように、上下框１、２と左右框３、３とからなる框体のうち、下框２を下框本体２ａと補助部材２ｂとから構成している。下框本体２ａは、長手方向に下向きの凹溝部７を有している。補助部材２ｂは、上下面のいずれか一方側面に断面凸形状をなす摺動部５を設けてあり、他方側面には、内部に戸車６を脱着可能に取り付けできる取付部１０が長手方向両端部に設けてある。その補助部材２ｂを下框本体２ａの凹溝部７内に挿入し、且つ、垂直方向のネジ１２ａで下框本体２ａにネジ止めすると共に、水平方向のネジ１２ｂでエッジ材１３とネジ止めして取り付けてある。また、下框本体２ａの凹溝部７内には、補助部材２ｂを上下反転していずれか一方側面を上面にしても取り付けることが可能であるが、摺動部５を上面にして取り付けたときには、下框本体２ａの凹溝部７内に、摺動部５を収納できる収納部８が設けてあると共に、収納部８を有することにより、補助部材２ｂは、戸車６を取り付けたままであっても、上下反転していずれか一方側面を上面にして、下框本体２ａの凹溝部７内に取り付けることができるようになる。
【０００８】
本引戸を戸車用の下枠レール９ａとスベリタイプの下枠レール９ｂのいずれかに取り付けるとき、下枠レール９ａ、９ｂに対応して下框本体２ａに補助部材２ｂを取り付ける手順について説明する。
まず、戸車用の下枠レール９ａに引戸を取り付けるときには、図１（ａ）のように、補助部材２ｂの取付部１０に戸車６を取り付けると共に、戸車６を取り付けた側を下面にして、補助部材２ｂを下框本体２ａの凹溝部７内に挿入すると共に、下框本体２ａと補助部材２ｂとを垂直方向のネジ１２ａでネジ止めすると共に、補助部材２ｂとエッジ材１３とを水平方向のネジ１２ｂでネジ止めする。一方、スベリタイプに変更するときには、図１（ｂ）のように、垂直方向のネジ１２ａ及び水平方向のネジ１２ｂを外した後に補助部材２ｂを下框本体２ａの凹溝部７内から取り外し、次いで、補助部材２ｂを上下に反転して摺動部５を下面にし、再び下框本体２ａの凹溝部７内に補助部材２ｂを挿入して、凹溝部７内に位置させた補助部材２ｂと下框本体２ａとを垂直方向のネジ１２ａでネジ止めすると共に、エッジ材１２の外周側から補助部材２ｂを水平方向のネジ１２ｂでネジ止めする。これにより、補助部材２ｂを上下反転していずれかの一方側面を下面とし、その補助部材２ｂを凹溝部７内で付け替えることで、単体の補助部材２ｂにより、戸車用の下枠レール９ａ又はスベリタイプの下枠レール９ｂの両方に対応して引戸を取り付けできる。尚、図１（ｂ）のように、補助部材２ｂに戸車６を取付けたままで反転して下框本体２ａに取付けても良いが、戸車６を取り外した状態のものを反転して下框本体２ａに取付けるものであっても良い。また、前述のものでは、戸車６を取り付ける取付部１０をあらかじめ設けてあるものについて示したが、戸車６を取り付ける段階で補助部材２ｂに取付部１０を設けるものであっても良い。取付部１０は、補助部材２ｂの一部を切欠いたものや、孔状のものなど、戸車６を補助部材２ｂに取り付けできるものであればよい。
【０００９】
図３（ａ）（ｂ）は、本実施による引戸の他の実施形態を示すものであり、補助部材２ｂの上下面のいずれか一方側面に、比較的幅広なスベリタイプの下枠レール９ｃに対応した幅広の摺動部１１を設けてある。また、戸車６の補助部材２ｂへの取付手順、及び補助部材２ｂの下框本体２ａの取付手順については、前述のように、戸車６を補助部材２ｂの取付部１０に取り付けた後に、下框本体２ａに取り付けてもよいし、あるいは、下框本体２ａに補助部材２ｂを取り付けた後に、戸車６を補助部材２ｂの取付部１０に取り付けてもよい。
【図面の簡単な説明】
【００１０】
【図１（ａ）（ｂ）】（ａ）は、本引戸において、戸車を取り付けた側を下向きにして補助部材を下框本体に取り付けた状態を示す縦断面図であり、（ｂ）は、摺動部の設けてある側を下向きにして補助部材を下框本体に取り付けた状態を示す縦断面図である。
【図２】本引戸の正面図である。
【図３（ａ）（ｂ）】（ａ）（ｂ）は、本引戸の他の実施形態を示すものであり、（ａ）は、戸車を取り付けた側を下面にして補助部材を下框本体に取り付けた状態を示す縦断面図であり、（ｂ）は、摺動部を下面にして補助部材を下框本体に取り付けた状態を示す縦断面図である。
【符号の説明】
【００１１】
１  上框（上下框）
２  下框（上下框）
２ａ  下框本体
２ｂ  補助部材
３  左右框
５、１１  摺動部
６  戸車
７  凹溝部
９ａ  戸車用（下枠レール）
９ｂ、９ｃ  スベリタイプ（下枠レール）
１０  取付部
【図１（ａ）（ｂ）】
0004856034.tif 000002
【図２】
0004856034.tif 000003
【図３（ａ）（ｂ）】
0004856034.tif 000004